(57)【特許請求の範囲】
【請求項１】
ゴキブリ等の昆虫を収容する筐体と、
前記筐体に前記昆虫が進入しうる開口部と、
前記開口部から外部に向かって流れる気流を発生させる気流発生手段と、
前記開口部から筐体内に進入した前記昆虫を処理する処理手段と、
長尺の筒状の進入路とを備え、
前記筐体は、前記進入路の中間部に設けられ、
前記開口部は、前記進入路の側面の前記筐体を挟む両側にそれぞれ少なくとも１以上設けられたことを特徴とするゴキブリ等昆虫捕獲器。
【請求項２】
前記気流の流速が、０．１ｃｍ／ｓｅｃ〜２００ｃｍ／ｓｅｃの範囲内
であることを特徴とする請求項１に記載のゴキブリ等昆虫捕獲器。
【請求項３】
ゴキブリ等の昆虫を収容する筐体と、
前記筐体に前記昆虫が進入しうる開口部と、
前記筐体内の温度を３０℃〜４５℃の範囲内に維持する温度調節手段と、
前記開口部から筐体内に進入した前記昆虫を処理する処理手段と、
長尺の筒状の進入路とを備え、
前記筐体は、前記進入路の中間部に設けられ、
前記開口部は、前記進入路の側面の前記筐体を挟む両側にそれぞれ少なくとも１以上設けられたことを特徴とするゴキブリ等昆虫捕獲器。
【請求項４】
ゴキブリ等の昆虫を収容する筐体と、
前記筐体に前記昆虫が進入しうる開口部と、
前記開口部から外部に向かって流れる気流を発生させる気流発生手段と、
前記筐体内の温度を３０℃〜４５℃の範囲内に維持する温度調節手段と、
前記開口部から筐体内に進入した前記昆虫を処理する処理手段と、
長尺の筒状の進入路とを備え、
前記筐体は、前記進入路の中間部に設けられ、
前記開口部は、前記進入路の側面の前記筐体を挟む両側にそれぞれ少なくとも１以上設けられたことを特徴とするゴキブリ等昆虫捕獲器。
【請求項５】
請求項１ないし請求項４のいずれかに記載のゴキブリ等昆虫捕獲器であって、
内部にゴキブリ等の昆虫を誘引する誘引剤を含むものであることを特徴とするゴキブリ等昆虫捕獲器。
【請求項６】
請求項１ないし請求項５のいずれかに記載のゴキブリ等昆虫捕獲器であって、
前記昆虫の処理手段は、粘着剤、殺虫剤、電激、加熱、冷却、飢餓、乾燥から選ばれる１種または２種以上の手段であることを特徴とするゴキブリ等昆虫捕獲器。
【発明の詳細な説明】
【０００１】
【発明の属する技術分野】
本発明は、ゴキブリなどの昆虫を捕獲する昆虫捕獲器に関し、特に、開口部から外部に向かって流れる気流により、昆虫を筐体内に誘導して効率よく捕獲するゴキブリ等昆虫捕獲器に関する。
【０００２】
【従来の技術】
家屋、倉庫、ビルなどの施設に棲息する有害昆虫の中でも、特に、繁殖力が強く、かつ、駆除が困難な昆虫としてゴキブリが挙げられる。このゴキブリを捕獲し駆除するために、従来から種々の捕獲手段が開発されている。
【０００３】
ゴキブリの捕獲には、毒餌や粘着板を備えた捕獲容器などが多く使用されている。例えば、基体とこれに取り付けられる蓋とを持ち、害虫の侵入可能な侵入部が形成されるとともに、前記基体と蓋とで構成される部位に殺虫用餌（毒餌）が配置され、殺虫用餌が人の目に触れるのを回避できる殺虫用餌置き具（特開平１１−４６４６号）などが開発されている。
【０００４】
【発明が解決しようとする課題】
しかしながら、このような捕獲手段では、毒餌や粘着板にゴキブリが積極的に近づいていかないため、ゴキブリを効率よく捕獲することができなかった。
この問題を解決するために、ゴキブリが隅を走行する習性や、暗い場所を好んで棲息し営巣する習性を利用して、例えば、中央部に毒物プレートを配した長いトンネル状の人為通路を壁隅などに設け（実公昭４９−２５１９号）る技術などが開発されている。
【０００５】
しかしながら、このような技術を利用した場合においても、ゴキブリを人為通路内に誘導することができないため、ゴキブリを効率よく捕獲することが困難であった。
本発明は、前記事情に鑑みてなされたもので、ゴキブリ等の昆虫を筐体内に誘引し、効率よく捕獲することができるゴキブリ等昆虫捕獲器を提供することを課題としている。
【０００６】
【課題を解決するための手段】
前記課題を解決するために本発明は請求項１において、ゴキブリ等の昆虫を収容する筐体と、前記筐体に前記昆虫が進入しうる開口部と、前記開口部から外部に向かって流れる気流を発生させる気流発生手段と、前記開口部から筐体内に進入した前記昆虫を処理する処理手段と、長尺の筒状の進入路とを備え、前記筐体は、前記進入路の中間部に設けられ、前記開口部は、前記進入路の側面の前記筐体を挟む両側にそれぞれ少なくとも１以上設けられたことを特徴とするゴキブリ等昆虫捕獲器を提供する。また、上記のゴキブリ等昆虫捕獲器においては、前記気流の流速が、０．１ｃｍ／ｓｅｃ〜２００ｃｍ／ｓｅｃの範囲内であることが望ましい。
【０００７】
本発明者らは、ゴキブリの習性を鋭意研究した結果、後述するように、ゴキブリには気流が流れてくる方向に誘引される習性があることをみいだした。さらに、気流の流速は、０．１ｃｍ／ｓｅｃ〜２００ｃｍ／ｓｅｃの範囲内が好ましいことをみいだした。より好ましくは、５．６ｃｍ／ｓｅｃ〜２０．８ｃｍ／ｓｅｃである。
本発明は、気流が流れてくる方向に誘引されるゴキブリの習性を利用したものであり、開口部から外部に向かって流れる気流を発生させる気流発生手段を備えることにより、ゴキブリなどの昆虫を筐体内に誘引することができ、ゴキブリなどの昆虫を効率よく捕獲できる。
筐体にゴキブリなどの昆虫が一度捕獲されると、捕獲された昆虫の体や糞から発散する誘引物質、すなわちフェロモンが、開口部から外部に向かって気流とともに放出されることにより、ゴキブリなどの昆虫の捕獲効率をさらに高めることができる。
さらに、気流の流速を、０．１ｃｍ／ｓｅｃ〜２００ｃｍ／ｓｅｃの範囲内とすることで、より一層効率よくゴキブリなどの昆虫を捕獲できるゴキブリ等昆虫捕獲器とすることができる。気流の流速を０．１ｃｍ／ｓｅｃ未満とした場合や、２００ｃｍ／ｓｅｃを越える流速とした場合、ゴキブリが誘引されにくくなるため好ましくない。
【０００８】
また、このようなゴキブリ等昆虫捕獲器は、進入路を壁面などに沿って設置し、筐体を壁面や床などの下などに設置することで、隅を走行する習性や暗い場所を好む習性を有するゴキブリなどの昆虫が、開口部から気流の発生方向である進入路の奥に向かって進行し、筐体に到達するようになるため、ゴキブリなどの昆虫を効率よく捕獲できる。
【０００９】
また、前記課題を解決するために本発明は請求項３において、ゴキブリ等の昆虫を収容する筐体と、前記筐体に前記昆虫が進入しうる開口部と、前記筐体内の温度を３０℃〜４５℃の範囲内に維持する温度調節手段と、前記開口部から筐体内に進入した前記昆虫を処理する処理手段と、長尺の筒状の進入路とを備え、前記筐体は、前記進入路の中間部に設けられ、前記開口部は、前記進入路の側面の前記筐体を挟む両側にそれぞれ少なくとも１以上設けられたことを特徴とするゴキブリ等昆虫捕獲器を提供する。本発明者らは、ゴキブリの習性を鋭意研究した結果、後述するように、ゴキブリには３０℃〜４５℃の範囲内の温度に誘引される習性があることをみいだした。請求項３の本発明は、この習性を利用したものであり、筐体内の温度を３０℃〜４５℃の範囲内に維持する温度調節手段を備えることで、ゴキブリなどの昆虫を筐体内に誘引することができ、効率よくゴキブリなどの昆虫を捕獲できる。筐体内の温度を３０℃未満とした場合や、４５℃を越える温度とした場合、ゴキブリが誘引されにくくなるため好ましくない。
また、このようなゴキブリ等昆虫捕獲器は、進入路を壁面などに沿って設置し、筐体を壁面や床などの下などに設置することで、隅を走行する習性や暗い場所を好む習性を有するゴキブリなどの昆虫が、開口部から気流の発生方向である進入路の奥に向かって進行し、筐体に到達するようになるため、ゴキブリなどの昆虫を効率よく捕獲できる。
【００１０】
また、前記課題を解決するために本発明は請求項４において、ゴキブリ等の昆虫を収容する筐体と、前記筐体に前記昆虫が進入しうる開口部と、前記開口部から外部に向かって流れる気流を発生させる気流発生手段と、前記筐体内の温度を３０℃〜４５℃の範囲内に維持する温度調節手段と、前記開口部から筐体内に進入した前記昆虫を処理する処理手段と、長尺の筒状の進入路とを備え、前記筐体は、前記進入路の中間部に設けられ、前記開口部は、前記進入路の側面の前記筐体を挟む両側にそれぞれ少なくとも１以上設けられたことを特徴とするゴキブリ等昆虫捕獲器を提供する。開口部から外部に向かって流れる気流を発生させる気流発生手段を備え、なおかつ、筐体内の温度を３０℃〜４５℃の範囲内に維持する温度調節手段を備えることで、ゴキブリなどの昆虫を筐体内に誘引する効果をより一層向上させることができる。
また、このようなゴキブリ等昆虫捕獲器は、進入路を壁面などに沿って設置し、筐体を壁面や床などの下などに設置することで、隅を走行する習性や暗い場所を好む習性を有するゴキブリなどの昆虫が、開口部から気流の発生方向である進入路の奥に向かって進行し、筐体に到達するようになるため、ゴキブリなどの昆虫を効率よく捕獲できる。
【００１１】
さらに、上記のゴキブリ等昆虫捕獲器においては、内部にゴキブリ等の昆虫を誘引する誘引剤を含むものであることが望ましい。
このようなゴキブリ等昆虫捕獲器は、誘引剤によってゴキブリを誘引する効果を向上させることができるので、より一層効率よくゴキブリなどの昆虫を捕獲できるゴキブリ等昆虫捕獲器とすることができる。
【００１２】
また、上記のゴキブリ等昆虫捕獲器においては、前記昆虫の処理手段は、粘着剤、殺虫剤、電激、加熱、冷却、飢餓、乾燥から選ばれる１種または２種以上の手段であることが望ましい。
【００１３】
【実施例１】
図１は、本発明のゴキブリ等昆虫捕獲器の参考例を示した図である。図１において、符号１は、ゴキブリ等昆虫捕獲器（以下、「捕獲器」と略記する。）を示している。この捕獲器１は、筐体２と、筒状の進入路５と、進入路５の先端に設けられた開口部３と、開口部３から外部に向かって流れる気流を発生させる気流発生手段４とを備えている。気流発生手段４には、筐体２内の温度を３０℃〜４５℃の範囲内に維持する温度調節機能が備えられている。また、筐体２内部の底部には、筐体２内に進入したゴキブリを捕獲する粘着剤６が塗布されている。
【００１４】
この捕獲器１では、開口部３から外部に向かって流れる気流の流速は、５．６ｃｍ／ｓｅｃ〜２０．８ｃｍ／ｓｅｃの範囲内とされている。
【００１５】
次に、図１に示す捕獲器１を用いたゴキブリの捕獲方法を説明する。
まず、ゴキブリが通り道にしていると予想される場所に捕獲器１を設置する。捕獲器１の開口部３の周囲に近づいたゴキブリは、開口部３から外部に向かって流れる流速５．６ｃｍ／ｓｅｃ〜２０．８ｃｍ／ｓｅｃ、温度３０℃〜４５℃の気流に誘引されて、開口部３から進入路５を通り、筐体口７から筐体２内へ進入する。そして、筐体２内に進入したゴキブリは、粘着剤６に接触し、粘着捕獲される。
【００１６】
このような捕獲器１は、開口部３から外部に向かって流れる気流を発生させる気流発生手段４を備えたものであるので、ゴキブリを筐体２内に誘引することができ、効率よくゴキブリを捕獲できる。
また、気流の流速を、５．６ｃｍ／ｓｅｃ〜２０．８ｃｍ／ｓｅｃの範囲内とすることで、ゴキブリを誘引する効果を向上できる。
さらに、筐体２内の温度を３０℃〜４５℃の範囲内に維持することで、ゴキブリを筐体２内に誘引する効果をより一層向上できる。
【００１７】
【実施例２】
図２は、本発明のゴキブリ等昆虫捕獲器の一例を示した図である。図２において、符号１１は、捕獲器を示している。この捕獲器１１は、長尺の筒状の進入路１５と、進入路１５の中央部に設けられた筐体１２と、進入路１５の側面の筐体１２を挟む両側に、２つづつ設けられた開口部１３と、開口部１３から外部に向かって流れる気流を発生させる気流発生手段１４とを備えている。気流発生手段１４には、図１に示した捕獲器と同様に、筐体１２内の温度を３０℃〜４５℃の範囲内に維持する温度調節機能が備えられている。また、開口部１３から外部に向かって流れる気流の流速は、５．６ｃｍ／ｓｅｃ〜２０．８ｃｍ／ｓｅｃの範囲内とされ、筐体１２内部の底部には、図１に示した捕獲器と同様に、筐体１２内に進入したゴキブリを捕獲する粘着剤１６が塗布されている。
【００１８】
次に、図２に示す捕獲器１１を用いたゴキブリの捕獲方法を説明する。
まず、ゴキブリの通り道としていると予想される場所に捕獲器１１の進入路１５を設置する。このとき、捕獲器１１の進入路１５は、壁面または床に沿って設置される。捕獲器１１の開口部１３の周囲に近づいたゴキブリは、開口部１３から外部に向かって流れる流速５．６ｃｍ／ｓｅｃ〜２０．８ｃｍ／ｓｅｃ、温度３０℃〜４５℃の気流に誘引されて、開口部１３から進入路１５を通り、筐体口１７から筐体１２内へ進入する。そして、筐体１２内に進入したゴキブリは、粘着剤１６に接触し、粘着捕獲される。
【００１９】
このような捕獲器１１は、開口部１３から外部に向かって流れる気流を発生させる気流発生手段１４を備えたものであるので、ゴキブリを筐体１２内に誘引することができ、効率よく捕獲できる。
また、気流の流速を５．６ｃｍ／ｓｅｃ〜２０．８ｃｍ／ｓｅｃの範囲内とし、筐体１２内の温度を３０℃〜４５℃の範囲内に維持することで、ゴキブリを筐体１２内に誘引する効果をより一層向上できる。
さらに、長尺の筒状の進入路１５を有する捕獲器１１であるので、進入路１５を壁面や床に沿って設置した場合、電気配線用モールに似た外観となり、人の目に触れる場所に設置しても捕獲器１１であることが認識されにくく、不衛生な印象などを与えることなく使用することができる。また、進入路１５の形状は、長尺の筒状であるので、開口部１３の位置をゴキブリの生息場所付近となるように設置すれば、筐体１２はゴキブリの生息場所と離れた場所に設置できる。
また、このような捕獲器１１は、進入路１５を壁面などに沿って設置し、筐体１２を壁面や床などの下などに設置することで、隅を走行する習性や暗い場所を好む習性を有するゴキブリが、開口部１３から気流の発生方向である進入路１５の奥に向かって進行し、筐体１２に到達するようになるため、ゴキブリを効率よく捕獲できる。
【００２０】
本発明の捕獲器においては、図２に示す捕獲器のように、進入路１５の側面の筐体１２を挟む両側に、開口部１３を２つづつ設けたものとしてもよいが、進入路をゴキブリ等の昆虫が分布している範囲に合わせて延長するとともに、開口部をゴキブリなどの昆虫の出現率が高い複数の場所に任意の個数設け、広い範囲に散在的に分布するゴキブリなどの昆虫を一台の捕獲器で捕獲できるようにしてもよい。
また、本発明の捕獲器においては、内部にゴキブリ等の昆虫を誘引する誘引剤を含むものとしてもよい。
このような捕獲器は、誘引剤によってゴキブリを誘引する効果を向上させることができるので、より一層効率よくゴキブリを捕獲できる捕獲器とすることができる。
さらにまた、本発明の捕獲器では、筐体内に進入したゴキブリを処理する処理手段として、上述した例のように、粘着剤１６を用いて捕獲する方法を使用することができるが、例えば、毒餌、接触毒、呼吸毒などの殺虫剤を利用する方法や、電激、加熱、冷却、飢餓、乾燥などの方法を使用することができ、特に限定されない。
【００２１】
［試験例１］
図３に示す実験装置を用意して、以下のような試験を行った。
まず、筐体２と長さ１０ｃｍの進入路５と幅３ｃｍ、高さ２ｃｍの開口部３と温度調節機能が備えられた気流発生手段４とからなる捕獲器３１（実施例）と、捕獲器３１と同様の筐体２２と進入路２５と開口部２３とからなる捕獲器２１（比較例）と、捕獲器３１の開口部３および捕獲器２１の開口部２３が接続されたケージ８とを備えた実験装置を用意した。
【００２２】
この実験装置を２０℃の室内に設置し、ケージ８内に５０匹のチャバネゴキブリの成虫を入れ、捕獲器３１の開口部３から外部に向かって流れる空気容量を０l/min〜７．５l/minの範囲内で変化させ、１時間放置した場合の捕獲器３１内および捕獲器２１内に進入したチャバネゴキブリの個体数をそれぞれ調べた。
その結果を、表１に示す。
【００２３】
【表１】
0004166358.tif 000002
【００２４】
表１において、符号1)は、５％水準で有意であることを示し、符号2)は、１％水準で有意であることを示している。
また、ＥＰＩ（余剰比係数）は、捕獲器３１内に侵入した個体数から捕獲器２１内に進入した個体数を引いた数を、捕獲器３１内および捕獲器２１内に進入した個体数で割った値である。
表１より、開口部３１から外部に向かって空気が流されている捕獲器３１では、空気が流されていない捕獲器２２と比較して、多くのゴキブリが筐体内に進入していることがわかる。とくに、気流の流速を５．６ｃｍ／ｓｅｃ〜２０．８ｃｍ／ｓｅｃの範囲内にした場合、多くのチャバネゴキブリが筐体内に進入していることがわかる。
このことから、チャバネゴキブリは、気流が流れてくる方向に誘引される習性があり、開口部３１から外部に向かって流れる気流を発生させることにより、ゴキブリを誘引できることがあきらかとなった。また、気流の流速を５．６ｃｍ／ｓｅｃ〜２０．８ｃｍ／ｓｅｃの範囲内とすることで、より一層ゴキブリを誘引する効果が向上することがあきらかとなった。
【００２５】
［試験例２］
図４に示す実験装置を用意して、以下のような試験を行った。
まず、幅６ｃｍ、高さ２ｃｍの開口部３２ａを有する筐体３２の底面にヒーター９を設け、これをケージ８内に設置した装置を用意した。
この実験装置を室内に設置し、ケージ８内に３０匹のチャバネゴキブリの成虫を入れ、室内の温度を１８℃〜３０℃の範囲内で変化させ、筐体３２内の温度を１８℃〜４５℃の範囲内で変化させ、１時間放置した場合の筐体３２内に侵入したチャバネゴキブリの個体数をそれぞれ調べ、侵入率を算出した。
その結果を図５に示す。
【００２６】
図５より、チャバネゴキブリの侵入率は、室温２０℃では筐体３２内の温度が３０℃〜４５℃の範囲内のときに高くなり、室温２５℃以上では筐体３２内の温度が３２℃〜３８℃の範囲内のときに高くなっていることがわかる。
このことより、チャバネゴキブリが３０℃〜４５℃の範囲内の温度に誘引される習性があり、筐体３２内の温度を３０℃〜４５℃の範囲内に維持することで、チャバネゴキブリを筐体３２内に誘引できることがあきらかとなった。
【００２７】
【発明の効果】
以上説明したように本発明の捕獲器は、開口部から外部に向かって流れる気流を発生させる気流発生手段を備えたものであるので、ゴキブリなどの昆虫を筐体内に誘引することができ、ゴキブリなどの昆虫を効率よく捕獲できる。
また、気流の流速を０．１ｃｍ／ｓｅｃ〜２００ｃｍ／ｓｅｃの範囲内とすることで、より一層効率よくゴキブリなどの昆虫を捕獲できる捕獲器とすることができる。
【００２８】
さらに、筐体内の温度を３０℃〜４５℃の範囲内に維持する温度調節手段を備えた捕獲器とすることで、ゴキブリなどの昆虫を筐体内に誘引することができ、効率よくゴキブリなどの昆虫を捕獲できる。
さらにまた、開口部から外部に向かって流れる気流を発生させる気流発生手段を備え、なおかつ、筐体内の温度を３０℃〜４５℃の範囲内に維持する温度調節手段を備えることで、ゴキブリなどの昆虫を筐体内に誘引する効果をより一層向上させることができる。
【図面の簡単な説明】
【図１】 本発明のゴキブリ等昆虫捕獲器の参考例を示した斜視図である。
【図２】 本発明のゴキブリ等昆虫捕獲器の一例を示した斜視図である。
【図３】 試験例１で使用した実験装置を説明するための斜視図である。
【図４】 試験例２で使用した実験装置を説明するための斜視図である。
【図５】 筐体内の温度とゴキブリの侵入率との関係を示したグラフである。
【符号の説明】
１、１１、２１、３１ ゴキブリ等昆虫捕獲器
２、１２、２２、３２ 筐体
３、１３、２３ 開口部
４、１４ 気流発生手段
５、１５ 進入路
６、１６ 粘着剤
７、１７ 筐体口
８ ケージ
９ ヒーター
【図１】
0004166358.tif 000003
【図２】
0004166358.tif 000004
【図３】
0004166358.tif 000005
【図４】
0004166358.tif 000006
【図５】
0004166358.tif 000007